(57)【要約】【課題】単位マットの端部における表皮体が、めくれ上がることのないスポーツマットを提供すること。【解決手段】複数枚の単位マット１２を、ファスナ１４により分離可能に接続したスポーツマット１０において、単位マット１２は、緩衝体１８と、ライン１６が施された表皮体２０と、を備え、ファスナ１４は、咬合鈎２４を列設したファスナテープ２６と、スライダ２８とを備え、ファスナテープ２６は、単位マット１２とほぼ同寸法で、緩衝体１８と表皮体２０との間に貼り合わせ、かつ、表皮体２０を緩衝体１８及びファスナテープ２６に接着させない非接着部３２に、案内用無鈎部３４と位置合わせ用のマーク３６を設け、更に、非接着部３２の表皮体２０と緩衝体１８との間に、着脱自在な貼付部材３８を設けて構成した。【選択図】図３
0003176214.tif 000002
【実用新案登録請求の範囲】
【請求項１】
複数枚の単位マット（１２）を、ファスナ（１４）により分離可能に接続して構成されるスポーツマット（１０）において、
前記単位マット（１２）は、緩衝体（１８）と、前記緩衝体（１８）の上に設けられ、表面に所定のライン（１６）が施された表皮体（２０）と、を備え、
前記ファスナ（１４）は、側縁に咬合鈎（２４）を列設したファスナテープ（２６）と、スライダ（２８）とを備え、
前記ファスナテープ（２６）は、前記単位マット（１２）の側縁（２９）の長さとほぼ同寸法、あるいは若干短い長さを有し、前記ファスナテープ（２６）の両端を単位マット（１２）の端縁（２７）にほぼ合致させて、前記単位マット（１２）の側縁（２９）の前記緩衝体（１８）と前記表皮体（２０）との間に貼り合わされ、かつ、前記ファスナテープ（２６）の前記単位マット（１２）の端部から所定区間の部分には、前記表皮体（２０）と前記ファスナテープ（２６）とが接着しない非接着部（３２）を備え、
前記非接着部（３２）の前記ファスナテープ（２６）の側縁には、前記咬合鈎（２４）が欠除した、前記スライダ（２８）を案内する案内用無鈎部（３４）、及び前記ファスナテープ（２６）どうしの同一対応位置を示す位置合わせ用のマーク（３６）が形成され、
更に、前記非接着部（３２）には、前記表皮体（２０）と前記緩衝体（１８）とを着脱自在に貼り合わせる貼付部材（３８）が設けられ、
前記位置合わせ用のマーク（３６）を合致させた状態で隣接された前記単位マット（１２）が、前記貼付部材（３８）による前記表皮体（２０）と前記緩衝体（１８）との間の貼り合わせをはがした状態で、前記非接着部（３２）における前記案内用無鈎部（３４）から装入された前記スライダ（２８）を前記咬合鈎（２４）の列設部分に移動させることにより接続されるとともに、前記表皮体（２０）の表面上に前記ライン（１６）が所定の形状に形成されることを特徴とするスポーツマット。
【考案の詳細な説明】
【技術分野】
【０００１】
本考案は、体育館の床面などに敷設して使用する、ファスナを介して分解および組立が可能なインドア用スポーツマットに関する。
【背景技術】
【０００２】
従来、体育館の床面などに敷設して使用する、この種のスポーツマットは、特許文献１に開示されているように、複数の単位マットの側縁にファスナを設け、各単位マットをファスナで連結してスポーツマット全体を形成したり、又、ファスナから各単位マットに分解できるようにしていた。
【０００３】
単位マットは、例えば表皮体を緩衝体の表面に貼り付け、貼り付けられた表皮体に部分的なラインを描くとともに、緩衝体の側縁にファスナの咬合鈎を列設したファスナテープを取り付け、更にこれらファスナテープの端部に、咬合鈎が欠除したスライダの案内用無鈎部を形成し、又、互いに対応するファスナテープの表面に位置合わせ用のマークを施して形成されている。
【０００４】
そして、並列させた単位マットの両者のファスナテープのマークを互いに合致させるとともに、各案内用無鈎部に跨がってスライダを装入し、この状態でスライダを移動させてファスナの咬合鈎どおしを咬合させる。すると、単位マットどおしがファスナで連結されるとともに、マークの合致により単位マットの表面に描かれている、例えばバトミントンコートのラインが自動的に形成されるようになっている。
【０００５】
このようにして全ての単位マットを連結させたスポーツマットを、例えば体育館に敷設し、スポーツマットの上でバドミントンなどの競技を行なう。そしてスポーツマットの使用後には、ファスナの咬合鈎を外して各単位マットに分解し、分解した状態で各単位マットを丸めたり、畳んで搬送、保管したりしている。
【先行技術文献】
【特許文献】
【０００６】
【特許文献１】特公平７−３６６７９号公報
【考案の概要】
【考案が解決しようとする課題】
【０００７】
しかしながら従来のスポーツマットは、ファスナにスライダを装入させる案内用無鈎部では、表皮体がファスナテープや緩衝体に接着されていなかった。そのため、その部分の表皮体の一部が競技中にめくれ上がり、選手の足などに引っ掛かって競技プレーの妨げとなるおそれが考えられた。
【０００８】
又、めくれた状態で表皮体が靴で踏まれることにより、表皮体が傷んだり、直接ファスナが踏みつけられてファスナの損傷が早められることが考えられる。又、スポーツマットの表皮体が一部めくれた状態は、ファスナや緩衝体の一部が露出し、見栄えがよくないという問題もあった。
【０００９】
本考案は、前記課題を解決し、単位マットの表皮体がめくれ上がることのない、スポーツマットを提供することを目的とする。
【課題を解決するための手段】
【００１０】
本考案では、前記課題を解決し、目的を達成するため、次のようにスポーツマットが構成されている。
【００１１】
スポーツマットは、複数枚の単位マットを、ファスナにより分離可能に接続して構成される。単位マットは、緩衝体と、緩衝体の上に設けられ、表面に所定のラインが施された表皮体と、を備えている。ファスナは、側縁に咬合鈎を列設したファスナテープと、スライダとを備えている。
【００１２】
ファスナテープは、単位マットの側縁の長さとほぼ同寸法で、ファスナテープの両端を単位マットの端縁にほぼ合致させて、単位マットの側縁の緩衝体と表皮体との間に貼り合わせてある。又、ファスナテープの単位マットの端部から所定区間の部分には、表皮体が緩衝体及びファスナテープに接着しない非接着部が形成されている。更に、非接着部のファスナテープの側縁には、咬合鈎を欠除した、スライダの案内用無鈎部、及びファスナテープどうしの同一対応位置を示す位置合わせ用のマークが形成されている。
【００１３】
更に、非接着部の表皮体と緩衝体との間には、表皮体と緩衝体とを着脱自在に貼り合わせる貼付部材が設けられている。貼付部材により、表皮体と緩衝体との間が貼り付け、取り外しが可能となっている。
【００１４】
そして、位置合わせ用のマークを合致させた状態で単位マットを隣接させ、貼付部材による表皮体と緩衝体との間の貼り合わせをはがした状態で、非接着部における案内用無鈎部から装入されたスライダを咬合鈎の列設部分に移動させる。このことにより隣接された単位マットが接続されるとともに、表皮体の表面上にラインが所定の形状に形成される。
【考案の効果】
【００１５】
本考案によれば、スポーツマットは、プレー中においても、単位マットにおける表皮体がめくれ上がることがない。
【図面の簡単な説明】
【００１６】
【図１】本考案の一実施形態にかかるスポーツマットの全体を示す平面図。
【図２】同スポーツマットを構成する単位マットの要部を示す平面図。
【図３】同単位マットを連結したときの要部を示す側面図。
【図４】同単位マットを連結する前の要部を示す底面図。
【図５】同単位マットを連結するときの要部を示す平面図。
【図６】同単位マットを連結した状態を示す平面図。
【考案を実施するための形態】
【００１７】
本考案の一実施形態にかかるスポーツマットついて図面を参照して説明する。図１は、床面１００にスポーツマット１０を敷設した状態を示す平面図、図２は、スポーツマット１０を構成する単位マット１２の要部を示す平面図、図３は、単位マット１２を連結したときの要部を示す側面図、図４は、単位マット１２を連結する前の要部を示す底面図である。
【００１８】
スポーツマット１０は、図１に示すように複数枚の単位マット１２を並列状態にそれぞれファスナ１４を介して接続してあり、各単位マット１２の表面には、例えばバトミントンコートを表す所定のライン１６が各部ごとに施されている。
【００１９】
単位マット１２は、図２に示すように、比較的厚さの厚い発泡合成樹脂で形成された緩衝体１８と、緩衝体１８の上に接着剤で貼り付けられた、収縮の少ないポリエステル繊維で形成した補強用の表皮体２０とを備え、更に、表皮体２０の表面に合成樹脂塗料による被覆材２２を設け、被覆材２２の表面にライン１６が描かれている。
【００２０】
ファスナ１４は、図２及び図４に示すように、側縁に多数の咬合鈎２４を列設してなるファスナテープ２６と、スライダ２８とを備え、ファスナテープ２６を互いに対応する単位マット１２の側縁２９に設け、各ファスナテープ２６の咬合鈎２４を、スライダ２８の移動により互いに咬合させるようになっている。図４は、単位マット１２を緩衝体１８側から示した図である。
【００２１】
ファスナテープ２６は、単位マット１２の長さとほぼ同寸法に形成してあり、その両端部が単位マット１２の端縁２７より若干内側に位置するように単位マット１２の緩衝体１８と表皮体２０との間に貼り付けてある。又、図３に示すように、単位マット１２どうしを連結した場合に、一方の単位マット１２の緩衝体１８と他方の単位マット１２の緩衝体１８との側縁２９の間に、スライダ２８の挿通が可能な隙間ａが形成されるようにファスナテープ２６が緩衝体１８に取り付けられている。
【００２２】
又、単位マット１０は、端縁２７から所定長さ、例えば端縁２７から１０ｃｍ〜２０ｃｍの区間ｂに、緩衝体１８、ファスナテープ２６、表皮体２０との三者の接着を剥がし、表皮体２０を緩衝体１８からまくり上げることが可能な非接着部３２が形成してある。そして、非接着部３２には、ファスナテープ２６の咬合鈎２４を取り除いた、スライダ２８を案内するための案内用無鈎部３４と、ファスナテープ２６を位置合わせするためのマーク３６が表面の同一対応位置に設けられている。
【００２３】
更に、単位マット１２の端縁２７の直下には、緩衝体１８の表皮体２０との間に、面ファスナからなる貼付部材３８が設けてあり、貼付部材３８により表皮体２０を緩衝体１８に着脱自在に貼り付け可能となっている。図３に、スポーツマット１０を、スポーツマット１０の厚み方向から見たときの図を示す。貼付部材３８は、一対の面ファスナで、面ファスナの一方が表皮体２０の内側、つまり緩衝体１８側に取り付けてあり、面ファスナの他方が緩衝体１８の表皮体２０側に取り付けられている。図３において、右の単位マット１２ａは、貼付部材３８により表皮体２０を緩衝体１８に貼り付けた状態を示し、左の単位マット１２ｂは、表皮体２０を緩衝体１８からはがした状態を示している。
【００２４】
単位マット１２どうしを接続するには、ファスナテープ２６を互いに対向させ、図２に示すように貼付部材３８の貼り付けをはがし、非接着部３２における双方の表皮体２０を緩衝体１８からまくり上げて開き、図５に示すように、一方のファスナテープ２６のマーク３６と他方のファスナテープ２６のマーク３６とを合致させる。
【００２５】
この状態で案内用無鈎部３４の両者に跨がるようにファスナテープ２６の側縁にスライダ２８を装入し、この後スライダ２８を案内用無鈎部３４の部分から咬合鈎２４の列設部分に移動させ、一方のファスナテープ２６の咬合鈎２４と、他方のファスナテープ２６の咬合鈎２４とを互いに咬合させる。ファスナ１４の全体を咬合させたら、非接着部３２における表皮体２０を貼付部材３８により緩衝体１８に貼り付ける。
【００２６】
これにより図６に示すように、２つの単位マット１２が相互に接続され、又、マーク３６の合致により単位マット１２の表面に描かれた各ライン１６が合致する。全ての単位マット１２をそれぞれのファスナ１４で連結することにより、図１に示すように、全体が一体に接続されるとともに、表面に所定のライン１６が描かれたスポーツマット１０が形成される。そして、このようにして形成されたスポーツマット１０を、図１に示すように床１００上に敷設し、その上で競技を行う。
【００２７】
本実施形態のスポーツマット１０によれば、非接着部３２における表皮体２０の端部が貼付部材３８により緩衝体１８に貼り付けられているので、スポーツマット１０を床１００等に敷設したときの外観を良好に保てるとともに、緩衝体１８からはがれた表皮体２０が、競技者のプレーを妨げることがなく、また、表皮体２０からファスナテープ２６が露出してしまうことがなく、ファスナ１４が直接踏みつけられることによる損傷を防止できる。
【００２８】
尚、前記実施形態においては、スポーツマット１０の表面にバトミントンコートのライン１６を描くようにしたが、ライン１６はバトミントン以外に、テニス、バレーボール、ドッチボール、その他のコートのラインであってもよい。更には、スポーツマット１０の上の所定位置に、例えば複数の卓球台を設置して使用する場合であって、その卓球台の設置すべき位置を表示する所定のマークを各単位マットに予め描いておいて、それを単位マット１２の接続により合致させてもよい。又、スポーツマット１０は体育館等のインドア用に限らず、屋外用であってもよい。
【産業上の利用可能性】
【００２９】
本考案は、複数の単位マットを組み付けて構成されるスポーツマットに用いることができる。
【符号の説明】
【００３０】
１０…スポーツマット、１２…単位マット、１４…ファスナ、１６…ライン、１８…緩衝体、２０…表皮体、２４…咬合鈎、２６…ファスナテープ、２８…スライダ、３２…非接着部、３４…案内用無鈎部、３６…マーク、３８…貼付部材、１００…床面。
【図１】
0003176214.tif 000003
【図２】
0003176214.tif 000004
【図３】
0003176214.tif 000005
【図４】
0003176214.tif 000006
【図５】
0003176214.tif 000007
【図６】
0003176214.tif 000008